(57)【要約】【課題】車両に搭載する通信マスタの個数を少なく抑えることができるとともに、車両盗難に対するセキュリティ性も確保することができる電子キーシステムを提供する。【解決手段】車両ドアに設置したリーダライタ１０で、電子キー２と車外照合が成立したとき、車内照合を一定時間において許可として、エンジン始動操作を可能とする。また、車両１と電子キー２との間に、ＩＤ照合で使用する近距離無線通信以外の通信系統として、ブルートゥース通信の通信系統を設ける。そして、電子キー２の解除ボタン２５が操作されると、電子キー２は車内照合強制解除要求Ｓａをブルートゥースにより車両１に送信する。車両１は、車内照合強制解除要求Ｓａを受信すると、一定時間成立となっている車内照合を強制解除する。【選択図】図１
2011256606.tif 000002
【特許請求の範囲】
【請求項１】
車外に位置する電子キーが送信したＩＤ信号を車両の通信マスタが受信し、当該ＩＤ信号でＩＤ照合が成立すると、車外照合の対象機器の動作を許可又は実行するとともに、車外照合も成立として処理して、車内照合の対象機器の動作も許可又は実行する電子キーシステムであって、
前記ＩＤ照合とは別系統の通信設備として前記車両及び前記電子キーに設けられた通信手段と、
前記車内照合の対象機器の使用を制限するときに行う操作を検出する検出手段と、
前記検出手段が前記制限の操作を検出したとき、前記通信手段を介して、制限要求信号を前記電子キーから前記車両に送信する送信制御手段と、
前記電子キーから前記制限要求信号を前記車両が受信すると、前記車内照合の対象機器の使用に制限を付加する制限付与手段と
を備えたことを特徴とする電子キーシステム。
【請求項２】
前記別系統の通信距離は、前記ＩＤ照合の通信距離よりも長く設定されている
ことを特徴とする請求項１に記載の電子キーシステム。
【請求項３】
前記車内照合は、前記車外照合が成立したとき、一定時間のみ成立となる
ことを特徴とする請求項１又は２に記載の電子キーシステム。
【請求項４】
前記車内照合の対象機器の使用制限とは、前記車両のエンジンの始動を不可とする制限である
ことを特徴とする請求項１〜３のうちいずれか一項に記載の電子キーシステム。
【請求項５】
前記ＩＤ照合の通信系統は、通信確立に前記電子キーのかざしを必要とする近距離無線通信であって、前記通信マスタは、車内に配置され、前記ＩＤ照合は、前記車両の窓ガラス越しに前記電子キーを前記通信マスタにかざすことにより実行する
ことを特徴とする請求項１〜４のうちいずれか一項に記載の電子キーシステム。
【発明の詳細な説明】
【技術分野】
【０００１】
本発明は、電子キーから無線により送信されたＩＤ信号によってＩＤ照合を行う電子キーシステムに関する。
【背景技術】
【０００２】
従来、車両には、電子キーからＩＤコードを無線で車両に送信してＩＤ照合を行う電子キーシステムが搭載されている。この電子キーシステムでは、ＮＦＣ等の近距離無線通信を使用した技術（特許文献１等参照）が考案されている。この場合、車外照合用に設置したリーダライタに電子キーをかざして、車外照合が成立すると、ドアロックの施解錠が許可又は実行される。また、車内照合用に設置したリーダライタに電子キーをかざして、車内照合が成立すると、エンジン始動が許可される。
【０００３】
ところで、この種類の電子キーシステムでは、車外用と車内用とでリーダライタを各々設置しなくてはならないので、リーダライタの個数を少なくするために、例えば１つのリーダライタを車外と車内とで共用することがニーズとしてある。この場合、例えば車外に位置する電子キーと車外照合が成立したとき、一定時間の間、車内照合も成立として処理して、エンジン始動操作を可能とする案が考えられる。
【先行技術文献】
【特許文献】
【０００４】
【特許文献１】特開２００９−１４７４２３号公報
【発明の概要】
【発明が解決しようとする課題】
【０００５】
しかし、車外照合の成立を以て車内照合を一定時間成立とすると、例えば車両盗難を目的とした第三者が、車外照合の成立を見計らって車両に近づき、正規ユーザを押しのけて乗車するだけで、車両が乗り逃げされてしまう。つまり、正規ユーザから正規電子キーを奪わなくとも、車外照合成立後に単にユーザを払い除ける行為によって、車両が盗難される可能性も否定できない。よって、リーダライタの個数を少なく抑えつつも、車両盗難に対するセキュリティ性も確保可能な技術が要望されていた。
【０００６】
本発明の目的は、車両に搭載する通信マスタの個数を少なく抑えることができるとともに、車両盗難に対するセキュリティ性も確保することができる電子キーシステムを提供することにある。
【課題を解決するための手段】
【０００７】
前記問題点を解決するために、本発明では、車外に位置する電子キーが送信したＩＤ信号を車両の通信マスタが受信し、当該ＩＤ信号でＩＤ照合が成立すると、車外照合の対象機器の動作を許可又は実行するとともに、車外照合も成立として処理して、車内照合の対象機器の動作も許可又は実行する電子キーシステムであって、前記ＩＤ照合とは別系統の通信設備として前記車両及び前記電子キーに設けられた通信手段と、前記車内照合の対象機器の使用を制限するときに行う操作を検出する検出手段と、前記検出手段が前記制限の操作を検出したとき、前記通信手段を介して、制限要求信号を前記電子キーから前記車両に送信する送信制御手段と、前記電子キーから前記制限要求信号を前記車両が受信すると、前記車内照合の対象機器の使用に制限を付加する制限付与手段とを備えたことを要旨とする。
【０００８】
この構成によれば、車外に位置する電子キーから送信されたＩＤ信号を車両が通信マスタで受信すると、車両が電子キーのＩＤ照合を実行し、このＩＤ照合が成立すると、車外照合を成立とするとともに、車内照合も成立として処理する。よって、本構成では、車外照合が成立したときに車内照合も成立として処理することにより、１つの通信マスタを車外照合及び車内照合の両方で共用するので、通信マスタを車外及び車外の各々に設置せずに済む。このため、通信マスタの個数を少なく抑えることが可能となる。
【０００９】
また、成立状態にある車外照合を強制解除する操作が電子キーで実行されたとき、ＩＤ照合とは別系統の通信を介して、制限要求信号が電子キーから車両に送信される。そして、車両は電子キーから制限要求信号を受信すると、一定時間成立として処理された車外照合を強制的に解除する。よって、車外照合が成立状況下のとき、悪意を持った第三者に車両に乗り込まれたとしても、電子キーで車内照合解除操作を行えば、車内照合が強制解除されるので、第三者に車両を使用させずに済む。このため、車両盗難に対するセキュリティ性も確保することが可能となる。
【００１０】
本発明では、前記別系統の通信距離は、前記ＩＤ照合の通信距離よりも長く設定されていることを要旨とする。
この構成によれば、別系統の通信距離をＩＤ照合のそれよりも長く設定したので、悪意を持った第三者によって仮にユーザが車両の遠くに押し退けられたとしても、その位置から制限要求信号を車両に届かせることが可能となる。よって、車両盗難に対する高いセキュリティ性を確保することが可能となる。
【００１１】
本発明では、前記車内照合は、前記車外照合が成立したとき、一定時間のみ成立となることを要旨とする。
この構成によれば、車外照合が成立したときは、車内照合を一定時間のみ成立とするので、車内照合をむやみに長時間成立させたままとせずに済む。よって、車両盗難に対する高いセキュリティ性を確保することが可能となる。
【００１２】
本発明では、前記車内照合の対象機器の使用制限とは、前記車両のエンジンの始動を不可とする制限であることを要旨とする。
この構成によれば、使用制限をエンジン始動不可としたので、第三者による車両の乗り逃げを一層生じ難くすることが可能となる。
【００１３】
本発明では、前記ＩＤ照合の通信系統は、通信確立に前記電子キーのかざしを必要とする近距離無線通信であって、前記通信マスタは、車内に配置され、前記ＩＤ照合は、前記車両の窓ガラス越しに前記電子キーを前記通信マスタにかざすことにより実行することを要旨とする。
【００１４】
この構成によれば、電子キーを窓ガラス越しに通信マスタにかざしてＩＤ照合を行うので、通信マスタを電子キーのかざし先の目印として通信を確立することが可能となる。よって、通信の利便性を確保することが可能となる。
【発明の効果】
【００１５】
本発明によれば、車両に搭載する通信マスタの個数を少なく抑えることができるとともに、車両盗難に対するセキュリティ性も確保することができる。
【図面の簡単な説明】
【００１６】
【図１】一実施形態の車内照合解除システムの構成図。
【図２】リーダライタの配置を示す斜視図。
【図３】リーダライタの通信エリアを示す模式図。
【図４】電子キーがリーダライタの通信エリアに進入したときの状態を示す説明図。
【図５】車両が盗難行為に遭ったときの一例を示す説明図。
【図６】別例の車外照合解除システムの一例を示す説明図。
【図７】他の別例における車外照合解除システムの一例を示す説明図。
【発明を実施するための形態】
【００１７】
以下、本発明を具体化した電子キーシステムの一実施形態を図１〜図５に従って説明する。
図１に示すように、車両１には、電子キー２との近距離無線通信によりＩＤ照合を実行する電子キーシステム３が設けられている。近距離無線通信は、いわゆるＮＦＣ（Near Field Communication）であって、例えばFelica、Mifare、TypeB（全て登録商標）等の通信方式が使用されている。
【００１８】
この場合、車両１には、電子キー２のＩＤコードを照合するキー照合装置４と、車両ドアの施解錠動作を管理するドアロック装置５と、エンジンの動作を管理するエンジン始動装置６とが設けられ、これらが車内バス７を介して接続されている。このうち、キー照合装置４には、ＩＤコードの照合動作を実行する照合ＥＣＵ８が設けられている。エンジン始動装置６には、車両１の電源状態を切り換える際に操作するエンジンスイッチ９が接続されている。なお、ドアロック装置５が車外照合の対象機器に相当し、エンジン始動装置６が車内照合の対象機器に相当する。
【００１９】
照合ＥＣＵ８には、電子キーシステム３の車両１側の通信装置としてリーダライタ１０が接続されている。リーダライタ１０は、通信相手である電子キー２への各種データの書き込み及び読み出しを行うものである。図２に示すように、リーダライタ１０は、車両ドア１１の窓ガラス１２越しに配置されるとともに、車両ドア１１のドアトリム１３の上部に配置されている。なお、リーダライタ１０が通信マスタに相当する。
【００２０】
図１に示すように、リーダライタ１０には、電子キー２との近距離無線通信を管理するリーダライタ制御ＥＣＵ１４が設けられている。リーダライタ制御ＥＣＵ１４には、通信回路１５を介して近距離無線通信用のアンテナ１６が接続されている。アンテナ１６は、電波として磁界を送信する磁界アンテナであって、例えばループアンテナが使用されている。アンテナ１６は、送受信アンテナであって、例えばＨＦ（High Frequency）帯の電波を送受信する。アンテナ１６は、アンテナコイル１７及びコンデンサ１８の直列共振回路を備える。通信回路１５は、アンテナ１６から送信する電波を変調したり、或いはアンテナ１６で受信した電波を復調したりする。
【００２１】
図３に示すように、リーダライタ１０は、運転席及び助手席のどちらからでも電子キー２とＩＤ照合が実行可能となるように、運転席及び助手席の各々に設置されている。また、リーダライタ１０は、ＨＦ帯の磁界アンテナであるので、平面視において略円形状の通信エリアＥａを形成する。
【００２２】
図１に示すように、電子キー２は、リーダライタ１０と近距離無線通信を行う、いわゆるＩＣタグである。電子キー２には、電子キー２の動作を管理する通信制御回路２０が設けられている。通信制御回路２０には、電子キー２のＩＤコードが登録されている。
【００２３】
通信制御回路２０には、近距離無線通信用にアンテナ２１が接続されている。アンテナ２１は、磁界アンテナの一種として例えばループアンテナが使用されている。アンテナ２１は、アンテナコイル２２と共振用のコンデンサ２３との並列共振回路からなる。アンテナ２１は、送受信アンテナであって、例えばＨＦ帯の電波を送受信する。
【００２４】
リーダライタ１０は、電子キー２が車外に位置するとき、駆動電波Ｓｖを車外に向けて断続送信する。電子キー２は、リーダライタ１０の駆動電波Ｓｖを受信すると、駆動電波Ｓｖを電源に起動して、ＩＤ信号Ｓidをアンテナ２１から送信する。ＩＤ信号Ｓidには、電子キー２のＩＤコードが含まれる。リーダライタ制御ＥＣＵ１４は、ＩＤ信号Ｓidをアンテナ１６で受信すると、ＩＤ信号Ｓid内のＩＤコードを照合ＥＣＵ８に転送する。照合ＥＣＵ８は、リーダライタ制御ＥＣＵ１４からＩＤコードを入力すると、ＩＤ照合を行い、ＩＤ照合が成立すれば車外照合を成立として処理し、ドアロック施解錠を許可又は実行する。
【００２５】
また、照合ＥＣＵ８は、車外照合の成立を確認すると、車内照合を一定時間の間、成立として処理する。車内照合とは、車内に位置する電子キー２と車両１との間で行うＩＤ照合である。よって、車外照合が成立したとき、車内照合が一定時間、成立として処理されるので、この時間の間、エンジン始動が許可される。
【００２６】
電子キーシステム３には、車外照合成立に伴って成立を許可した車内照合を、ユーザの手動操作（マニュアル操作）によって解除可能な車内照合解除システム２４が設けられている。本例の車内照合解除システム２４は、車外照合成立によって一定時間成立とした車内照合を、電子キー２での所定操作によって強制的に解除可能とするものである。これは、本例の場合、車外照合の成立を以て車内照合も一定時間成立とするため、車内照合成立中に、ユーザの不意をつかれて第三者によって車両１に乗り込まれる可能性も否めず、電子キー２の所定操作によって車内照合を強制解除可能として、これに対応するためである。
【００２７】
この場合、電子キー２には、車内照合を強制解除するときに操作する解除ボタン２５が設けられている。解除ボタン２５は、例えばモーメンタリスイッチが使用され、通信制御回路２０に接続されている。解除ボタン２５は、例えばボタン操作有りのときにオン信号を出力し、ボタン操作無しのときにオフ信号を出力する。なお、解除ボタン２５が検出手段を構成する。
【００２８】
車両１には、ブルートゥース（Bluetooth：登録商標）により電子キー２と無線通信するブルートゥースシステム２６が設けられている。ブルートゥースとは、例えば数ｍ程度の機器間接続に使用する短距離無線通信技術の一種である。ブルートゥースは、例えば2.45ＧＨｚ帯の電波を使用し、機器間に障害物があっても距離が約10ｍ程度であれば、通信を確立することができる利点を持つ。また、例えばIrDA（Infrared Data Association）等の赤外線通信と比較して、消費電力を少なく抑えることができる利点もある。
【００２９】
この場合、電子キー２には、ブルートゥースシステム２６の電子キー２側の通信機としてブルートゥース通信機２７が設けられている。ブルートゥース通信機２７は、通信制御回路２０に接続され、動作が通信制御回路２０によって管理されている。ブルートゥース通信機２７は、電子キー２に搭載された電池２８を電源に動作する。電池２８は、例えばボタン電池等が使用される。なお、ブルートゥース通信機２７が通信手段（通信設備）を構成する。
【００３０】
一方、車両１には、ブルートゥースシステム２６の車両１側の通信機としてブルートゥース通信機２９が設けられている。ブルートゥース通信機２９は、車内の電気配線を介して照合ＥＣＵ８に接続されている。なお、ブルートゥース通信機２９が通信手段（通信設備）を構成する。
【００３１】
通信制御回路２０には、解除ボタン２５が操作されたときに車内照合強制解除要求Ｓａをブルートゥース通信機２７から送信させる強制解除要求出力部３０が設けられている。車内照合強制解除要求Ｓａは、車外照合の成立を以て一旦成立させた車内照合を、車両１に強制解除させる要求である。車内照合強制解除要求Ｓａは、解除ボタン２５の押圧操作の度に、例えば複数回送信される。車内照合強制解除要求Ｓａには、例えば電子キー２のＩＤコードと、車内照合成立の強制解除を要求する機能コードとが含まれている。なお、強制解除要求出力部３０が送信制御手段に相当し、車内照合強制解除要求Ｓａが制限要求信号に相当する。
【００３２】
照合ＥＣＵ８には、一旦成立させた車内照合を強制解除する車内照合強制解除部３１が設けられている。車内照合強制解除部３１は、車内照合成立の状況下の際、電子キー２から送信された車内照合強制解除要求Ｓａをブルートゥース通信機２９で受信すると、車外照合成立時に一旦成立させた車内照合を強制解除する。なお、車内照合強制解除部３１が制限付与手段に相当する。
【００３３】
次に、本例の車内照合解除システム２４の動作を、図４及び図５に従って説明する。
車両１が駐車状態（ドアロック施錠、エンジン停止）のとき、リーダライタ１０は、駆動電波Ｓｖを窓ガラス１２越しに車外へ断続送信する。駆動電波Ｓｖの通信エリアＥａは、窓ガラス１２の極近傍にのみ形成される。なお、実際のところ、リーダライタ１０において車体左右方向の両側にそれぞれ駆動電波Ｓｖが送信されるが、本例の場合、窓ガラス１２側の電波を、車外通信用の駆動電波Ｓｖの通信エリアＥａとして使用する。
【００３４】
このとき、図４に示すように、車外から電子キー２が窓ガラス１２越しにリーダライタ１０にかざされて、電子キー２が駆動電波Ｓｖを受信すると、駆動電波Ｓｖによって起動し、ＩＤ信号Ｓidをリーダライタ１０に返信する。そして、このＩＤ信号Ｓidで車外照合が成立すると、ドアロックの解錠が許可される。このため、車外ドアハンドルノブ（図示略）がタッチ操作されると、ドアロックが解錠され、乗車が許可される。
【００３５】
照合ＥＣＵ８は、車外照合が成立した際、一定時間の間、車内照合を成立として処理する。よって、車外照合が成立すれば、一定時間においてエンジンの始動操作が可能である。このため、ユーザが乗車後、エンジンスイッチ９を押圧操作すれば、エンジンを始動させることが可能である。
【００３６】
ところで、本例のように車外照合の成立を以て、車内照合を一定時間成立として処理すると、図５に示すように、車外照合成立後、車両盗難を目的とした第三者が、ユーザの不意をついて車両１に乗り込み、そのまま車両１を乗り逃げする可能性も否定できない。つまり、車外照合成立後、ユーザが直ぐに車両１に乗り込まずにいたとき、盗難行為を目的とした第三者がユーザを押し退けて乗車し、エンジンをかけて乗り逃げすることも想定される。
【００３７】
しかし、本例の場合は、このような盗難状況に遭ったとき、ユーザは第三者によって押し退けられた時点で、解除ボタン２５を操作して、一定時間成立下に入っている車内照合を強制解除する。このとき、強制解除要求出力部３０は、解除ボタン２５が押圧操作されたことを検出すると、車内照合強制解除要求Ｓａをブルートゥース通信機２７から送信させる。車内照合強制解除要求Ｓａはブルートゥースという通信距離の長い通信網にて送信されるので、仮にユーザが第三者によって車両１の遠くに突き飛ばされても、車内照合強制解除要求Ｓａは車両１まで問題なく届く。
【００３８】
照合ＥＣＵ８は、電子キー２から送信された車内照合強制解除要求Ｓａをブルートゥース通信機２９で受信すると、この車内照合強制解除要求Ｓａを基に動作して、一旦成立となった車内照合を強制解除する。
【００３９】
このため、ユーザを押しのけて乗車した第三者がエンジンスイッチ９を押圧操作しても、このときは車内照合が不成立となっているため、エンジンが始動しない。よって、車両１を第三者に乗り逃げされることがない。
【００４０】
以上により、本例においては、車両ドア１１に設置したリーダライタ１０で、電子キー２と車外照合が成立したとき、車内照合を一定時間において許可として、エンジン始動操作を可能とする。よって、ば車外用に用意したリーダライタ１０を、車外用のみならず車内用としても共用するので、車内外にそれぞれリーダライタを用意せずに済む。このため、車両１に設置するリーダライタの個数を少なく抑えることが可能となるので、部品コストを低く抑えることが可能となる。
【００４１】
また、車両１と電子キー２との間に、ＩＤ照合で使用する近距離無線通信以外の通信系統として、ブルートゥース通信の通信系統を設ける。そして、電子キー２の解除ボタン２５が操作されると、車内照合強制解除要求Ｓａがブルートゥースにより電子キー２から車両１に送信され、一定時間成立となっている車内照合が強制解除される。よって、ユーザが車外照合を成立させたとき、車両盗難を目的とした第三者によって車両１に不意に乗り込まれても、ユーザにより解除ボタン２５が操作されれば、エンジンの始動が不可に移行される。従って、第三者に車両１をそのまま乗り逃げされずに済むので、車両盗難に対するセキュリティ性も確保することが可能となる。
【００４２】
本実施形態の構成によれば、以下に記載の効果を得ることができる。
（１）リーダライタ１０で車外照合が成立したとき、車内照合も一定時間において成立として処理することにより、１つのリーダライタ１０を車外及び車外で共用するので、リーダライタ１０の個数を少なく抑えることができる。また、車外照合成立を以て一定時間の間、車内照合を成立として処理するようにしても、この機能を解除ボタン２５の操作により強制解除可能とした。よって、車外照合成立状況下で第三者よって不意に車両１に乗り込まれても、解除ボタン２５を操作することによって、車内照合成立を強制解除して、エンジン始動を不可とすることが可能である。従って、車両盗難に対するセキュリティ性も確保することができる。
【００４３】
（２）車内照合強制解除要求Ｓａの通信系統をブルートゥース通信として、ＩＤ照合の通信よりも通信距離の長くしたので、第三者によって車両１から離れた位置に押しのけられても、その位置から車内照合強制解除要求Ｓａを車両１まで届かせることができる。よって、車内照合の強制解除をより確実に行うことができる。
【００４４】
（３）車外照合が成立したとき、車内照合を一定時間のみ成立とするので、車内照合をむやみに長い時間、成立のままとせずに済む。よって、車両盗難に対する高いセキュリティ性を確保することができる。
【００４５】
（４）車内照合が強制解除されたとき、エンジンが始動不可となるので、ユーザが不意をつかれて第三者に車両１に乗り込まれても、車内照合を強制解除することによりエンジンを始動操作されずに済む。よって、第三者による車両１の乗り逃げを一層生じ難くすることができる。
【００４６】
（５）電子キーシステム３を近距離無線通信に準じたシステムとし、ＩＤ照合の際には、電子キー２を窓ガラス１２越しに車内のリーダライタ１０にかざすことによって行うので、リーダライタ１０を電子キー２のかざし先の目印として通信を確立することができる。よって、電子キー２のかざし先が直ぐに分かるので、ＩＤ照合時にユーザに課す操作の利便性を確保することができる。
【００４７】
（６）車内照合強制解除要求Ｓａの通信に、ノイズ耐性の高いブルートゥース通信を用いたので、車内照合強制解除要求Ｓａをより確実に車両１に伝達することができる。
（７）車内照合強制解除要求Ｓａの送信トリガを電子キー２でのボタン操作としたので、解除ボタン２５を押し操作するというユーザにとって非常に明瞭な操作によって、車内照合成立を強制解除することができる。
【００４８】
なお、実施形態はこれまでに述べた構成に限らず、以下の態様に変更してもよい。
・図６に示すように、車外照合のとき、ＩＤ信号Ｓidに電池情報Ｓｂを含ませて、電池切れの有無について車両１に通知し、電子キー２が電池切れに陥っていれば、車外照合が成立しても、車内照合の一定時間成立は実行しないようにしてもよい。この場合、電子キー２が電池切れ、つまりブルートゥース通信機２７が動作できない状態になっていて車内照合成立の強制解除が利かないときに、車内照合を一時成立させてしまわずに済むので、車両盗難に対するセキュリティ性を一層向上することが可能となる。
【００４９】
なお、このとき、車内照合は、例えば車内側から電子キー２をリーダライタ１０にかざすことにより実行する。リーダライタ１０における車内照合及び車外照合の区別は、例えばセンサで検出することが可能である。または、エンジンスイッチ９を押し操作した後に、電子キー２をリーダライタ１０にかざすことを車内照合とすることも可能である。
【００５０】
・電子キー２が電池切れか否かの確認は、例えば実際にブルートゥース通信を試み、通信が成立するか否かを確認することにより行ってもよい。
・車内照合を強制解錠するときにユーザに課す操作は、電子キー２でのボタン操作に限定されない。図７に示すように、例えば電子キー２を所定パターンで振動させる操作（振る操作）としてもよい。この場合、電子キー２に振動センサ５１を設け、電子キー２が所定パターンで振動操作されたことが振動センサ５１にて検出されると、電子キー２から車内照合強制解除要求Ｓａが車両１に送信される。
【００５１】
・解除ボタン２５は、専用のボタンに限らず、ワイヤレス通信用のボタンを使用してもよい。この場合、このボタンを所定回数或いは所定態様で操作されたとき、車内照合が強制解除される。
【００５２】
・電子キー２は、キーのみの位置付けの部材に限定されず、例えば携帯電話としてもよい。
・車両１の使用制限は、エンジン始動不可等の使用禁止に限らず、例えば車両１の動作に所定の制限を付加するものでもよい。車両１の動作制限には、例えば一定時間のみの走行を許可することや、車両速度が一定値以上とならないことなどがある。
【００５３】
・電池２８は、ボタン電池に限らず、他の種類のものが使用可能である。また、電池２８は、１次電池又は２次電池のどちらを使用してもよい。
・近距離無線通信は、ＮＦＣに限定されず、他の方式の通信を使用可能である。
【００５４】
・車両１及び電子キー２の通信は、近距離無線通信に限らず、例えば通信距離が１ｍ〜数ｍの狭域無線通信としてもよい。近距離無線通信としては、例えば車両１がリクエスト信号をＬＦ帯の電波で送信し、電子キー２がリクエスト信号を受信すると、ＩＤ信号ＳidをＵＨＦ帯の電波で返信するものがある。
【００５５】
・車両１及び電子キー２の通信は、双方向通信に限定されず、電子キー２から車両１にのみ電波を送信する単方向通信としてもよい。
・車外照合の対象機器は、ドアロック装置５に限定されず、例えばトランク装置等の他の装置としてもよい。
【００５６】
・車内照合の対象機器は、エンジン始動装置６に限定されず、例えばカーナビゲーション装置やオーディオ装置等の他の装置としてもよい。
・ＩＤ照合とは別系統の通信は、ブルートゥース通信に限定されず、例えば赤外線、電話通信網、インターネット通信網等の他の通信が使用可能である。
【００５７】
・ＩＤ照合の通信系統と、車内照合強制解除要求Ｓａの通信系統は、例えば同じ通信系統としてもよい。
・車内照合は、車外照合が成立したとき、一定時間の間のみ成立となることに限定されず、例えば車内照合の対象機器が操作されるまで、照合を成立のままで維持してもよい。
【００５８】
・車両１及び電子キー２の各アンテナは、磁界アンテナに限定されず、例えば電界アンテナを使用してもよい。また、これらアンテナは、ループアンテナに限定されず、例えばダイポールアンテナ等の他のアンテナを使用してもよい。
【００５９】
・ドアロック施解錠は、車外ドアハンドルノブの操作をトリガとして動作するものに限らず、車外照合が成立した時点で切り換わるものでもよい。
・電子キーシステム３は、リーダライタ１０が駆動電波Ｓｖを常時送信するポーリング式に限らず、所定操作を条件に駆動電波Ｓｖの送信が開始されるトリガ式としてもよい。
【００６０】
次に、上記実施形態及び別例から把握できる技術的思想について、それらの効果とともに以下に追記する。
（イ）請求項１〜４のいずれかにおいて、前記ＩＤ照合の通信系統は、近距離無線通信である。この構成によれば、ＩＤ照合の通信を近距離無線通信としたので、近距離無線通信としてパッシブ型（自励型）の通信を使用すれば、電子キーは電池レスで動作することが可能となる。よって、電子キーが電池レスとなれば、電子キーのサイズ小型化や軽量化が可能となる。
【００６１】
（ロ）請求項１〜５、前記技術的思想（イ）のいずれかにおいて、前記検出手段は、ユーザにより操作される操作手段である。この構成によれば、車内照合を強制解除するときには、操作手段を例えば押圧操作するなどの分かり易い操作をユーザに課すことになるので、車内照合の強制解除をより確実に行うことが可能となる。
【符号の説明】
【００６２】
１…車両、２…電子キー、３…電子キーシステム、５…車外照合の対象機器としてのドアロック装置、６…車内照合の対象機器としてのエンジン始動装置、１０…通信マスタとしてのリーダライタ、１２…窓ガラス、２５…検出手段を構成する解除ボタン、２７…通信手段（通信設備）を構成するブルートゥース通信機、２９…通信手段（通信設備）を構成するブルートゥース通信機、３０…送信制御手段としての強制解除要求出力部、３１…制限付与手段としての車内照合強制解除部、Ｓid…ＩＤ信号、Ｓａ…制限要求信号としての車内照合強制解除要求。
【図１】
2011256606.tif 000003
【図２】
2011256606.tif 000004
【図３】
2011256606.tif 000005
【図４】
2011256606.tif 000006
【図５】
2011256606.tif 000007
【図６】
2011256606.tif 000008
【図７】
2011256606.tif 000009